(57)【要約】      （修正有）【課題】花粉症患者は、大量のティッシュペーパーの携帯を必要とするが、大量枚数を収納でき、また、ティッシュペーパー以外にも、シーズン中に携帯を必要とする小物を１つにまとめて携帯可能にする、折り畳んで携帯することが可能なポーチを提供する。【解決手段】以下の３つの部分、つまり、ハンドタオル収納ポケットが裏側に付いた大量のティッシュペーパーを収納する部分２、使用済みティッシュのくず入れ部分３、目薬やノーズスプレー等の任意の小物入れ部分１、が横一列に接続して配置され、全体を小さく折り畳んで携帯することが可能なポーチ。ティッシュペーパーの収納枚数に応じて、長辺の左右両端を内側に折り畳む形態と、長辺の片端を内側に折り畳んだ後にさらに左右両端を内側に折り畳む形態の、２形態をとれる。【選択図】図２
0003189495.tif 000002
【実用新案登録請求の範囲】
【請求項１】
ボックスティッシュの中身や、外箱なしのボックスティッシュリフィルをそのまま収納する等、大量のティッシュを携帯可能、且つ、使用済みティッシュのくず入れ、目薬やノーズスプレー等の任意の小物、ハンドタオルも１つにまとめて携帯可能なポーチ。
【請求項２】
ティッシュペーパーの収納枚数に応じて、２形態が可能な２ＷＡＹポーチ。
【考案の詳細な説明】
【技術分野】
【０００１】
本考案は、くず入れ、目薬入れ、ハンドタオル入れを備えた、大量のティッシュペーパーも携帯可能な２ＷＡＹポーチである。
【背景技術】
【０００２】
従来の携帯ティッシュポーチはポケットティッシュを収納するものが一般的であり、３００枚（１５０組）程度の大量枚数を収納させ携帯することはできない。
【０００３】
大量のティッシュペーパーも携帯可能で、且つ、くず入れ、目薬入れ、ハンドタオル入れも備えたポーチは一般的にはない。
【先行技術文献】
【特許文献】
【０００４】
特開平１１−００４７１１号公報
【考案の概要】
【考案が解決しようとする課題】
【０００５】
ボックスティッシュの中身を取り出したり、外箱なしのボックスティッシュリフィルをそのまま利用し、大量のティッシュを携帯可能にする。
【０００６】
花粉症患者が携帯必要とする小物、つまり、大量のティッシュペーパー、使用済みティッシュのくず入れ、目薬やノーズスプレー、ハンドタオルを１つにまとめて携帯可能にすることにより、例えばバックの中で探すことなく必要時すぐに取り出せるよう、利便性が高まる。
【課題を解決するための手段】
【０００７】
大量のティッシュペーパーを収納可能にする。３００枚（１５０組）程度の外箱なしのボックスティッシュリフィルはそのままセット可能である。
【０００８】
ティッシュ収納部の他に、くず入れ、目薬入れ、ハンドタオル入れを備える。くず入れの汚れ対策として、布製の場合は、内側に撥水加工の裏布を張ったり、全体をナイロン製等にしても良い。目薬入れはノーズスプレー等、任意の小物入れとして使用できる大きさとする。ハンドタオル入れも装備し、花粉シーズン以外でも便利に使用できるポーチとする。
【０００９】
ティッシュペーパーの枚数が少ない時は、折り畳むことができる。ティッシュの枚数に応じて２通りの形態がとれる２ＷＡＹであることを主要な特徴とする。
【考案の効果】
【００１０】
花粉症患者は花粉シーズン時、大量のティッシュペーパーと必須アイテムを１つにまとめて携帯できる。また、オフシーズンには折り畳んで便利ポーチとして使える。くず入れの汚れを気にすることなく使用できる。
【図面の簡単な説明】
【００１１】
【図１】図１は全体に広げた時の平面図である。
【図２】図２は全体に広げた時のイメージ図である。（実施例１）
【図３】図３は大量のティッシュを収納し、図２の白矢印の方向に左右を折り畳んだ時のイメージ図である。（実施例２）
【図４】図４は少量のティッシュを収納し、図３の白矢印の方向にくず入れをさらに折り畳んだ時のイメージ図である。（実施例３）
【図５】図５は図４の裏面図である。（実施例３）
【実施例１】
【００１２】
図２は、本考案ポーチの全体イメージをポケット出し入れ口側から見た図であり、１は目薬入れ、２はティッシュペーパー入れ、３は使用済みくず入れである。
【００１３】
目薬入れ１の口にボタン（またはスナップ、ファスナー、面ファスナー等）を取り付ける。
【００１４】
ティッシュペーパー入れ２の口はスナップやボタン等でも良いが、リボンで結べばティッシュの枚数に応じて任意の厚さに対応可能となる。
【００１５】
使用済みくず入れ３の口にボタン等を取り付ける。使用方法は中央の出し入れ口からくずを入れ、ボタンを開けて上側から取り出す。内側には汚れ防止の為に、撥水加工の裏布を貼る。
【実施例２】
【００１６】
図３は、大量のティッシュペーパー（１５０組３００枚程度）をセットした場合の、全体を閉じた時の図である。くず入れ３の裏面に取り付けたボタンに紐４を絡ませて閉じる。長さは展開時の半分程度となる。
【実施例３】
【００１７】
図４は、少量のティッシュペーパーをセットした場合の全体を閉じた時の図である。くず入れ３をさらに内側に折り畳み、ティッシュ入れ部分の裏面に取り付けたボタンに紐４を絡ませて閉じる。長さは展開時の３分の１程度となる。閉じ方はボタンと紐の他にスナップ、面ファスナー、マグネット等でも良い。
【００１８】
図５は、図４を裏側から見た図である。ハンドタオルを４つ折りで収納可能なサイズのポケットを備える。左右の紐通しにストラップやベルトを通してバックの持ち手等に提げれば、すぐに取り出すことができて便利である。
【００１９】
ハンドタオルと目薬は紐を閉じた状態でも取り出せるので、花粉シーズンに限らず、通年用として便利に使用できる。
【符号の説明】
【００２０】
１    目薬入れ
２    ティッシュペーパー入れ
３    使用済みくず入れ
４    紐
５    紐通し
６    ポケット
【図１】
0003189495.tif 000003
【図２】
0003189495.tif 000004
【図３】
0003189495.tif 000005
【図４】
0003189495.tif 000006
【図５】
0003189495.tif 000007
【手続補正書】
【提出日】平成25年10月15日(2013.10.15)
【手続補正１】
【補正対象書類名】実用新案登録請求の範囲
【補正対象項目名】全文
【補正方法】変更
【補正の内容】
【実用新案登録請求の範囲】
【請求項１】
：  ボックスティッシュの中身やボックスティッシュリフィル等、大量のティッシュペーパーを収納する部分、使用済みティッシュのくず入れ部分、目薬やノーズスプレー等の任意の小物入れ部分と、ハンドタオル収納ポケット部分を兼ね備え、全体を小さく折り畳んで携帯することが可能なポーチ。
【請求項２】
：  収納するティッシュペーパーの枚数が少ない時は、ティッシュペーパー部分の長さを半分に折り畳むことも可能であり、つまり、ティッシュペーパーの収納枚数に応じて２形態（図３と図４参照）をとれることを特徴とする請求項１記載のポーチ。
【手続補正書】
【提出日】平成25年12月25日(2013.12.25)
【手続補正１】
【補正対象書類名】実用新案登録請求の範囲
【補正対象項目名】全文
【補正方法】変更
【補正の内容】
【実用新案登録請求の範囲】
【請求項１】
以下の３つの部分、つまり、ハンドタオル収納ポケットが裏側に付いた大量のティッシュペーパーを収納する部分、使用済みティッシュのくず入れ部分、目薬やノーズスプレー等の任意の小物入れ部分、が横一列に接続して配置され、全体を小さく折り畳んで携帯することが可能なポーチ。
【請求項２】
ティッシュペーパーの収納枚数に応じて、長辺の左右両端を内側に折り畳む形態と、長辺の片端を内側に折り畳んだ後にさらに左右両端を内側に折り畳む形態の、２形態をとれることを特徴とする請求項１記載のポーチ。